(57)【要約】【課題】キャリアアグリゲーションを行なう擬似基地局の変更や組み替えを容易にして、キャリアアグリゲーションの試験を効率的に行なうことができる移動端末試験装置を提供すること。【解決手段】ユーザからの操作入力を受け付ける操作部１１と、画像を表示する表示部１２と、表示部１２に既に作成されたシナリオのキャリアアグリゲーションの擬似基地局の識別名を表示させ、操作部１１による操作により擬似基地局の識別名を変更させ、変更された擬似基地局の構成に基づいてシナリオを作成させる制御部１４と、を備える。【選択図】図１
2019029741.tif 000002
【特許請求の範囲】
【請求項１】
複数のコンポーネントキャリアそれぞれに設定されたパラメータに基づいてキャリアアグリゲーションを構成して移動体通信端末（２）とキャリアアグリゲーションの試験を行なう移動端末試験装置（１）であって、
前記パラメータの予め設定された一部を前記複数のコンポーネントキャリア間で交換する制御部（１４）を備える移動端末試験装置。
【請求項２】
ユーザからの操作入力を受け付ける操作部（１１）と、
画像を表示する表示部（１２）と、を備え、
前記制御部は、現在の前記キャリアアグリゲーションを構成する前記コンポーネントキャリアを識別する情報を前記表示部に表示させ、前記操作部の操作により前記コンポーネントキャリアを識別する情報を変更させることで前記コンポーネントキャリアを組み替えさせ、該組み替えられた構成に基づいて前記コンポーネントキャリアの前記予め設定された一部のパラメータを交換する請求項１に記載の移動端末試験装置。
【請求項３】
前記予め設定された一部のパラメータとして、少なくともCell ID、周波数、周波数帯域幅を含む請求項１または請求項２に記載の移動端末試験装置。
【請求項４】
複数のコンポーネントキャリアそれぞれに設定されたパラメータに基づいてキャリアアグリゲーションを構成して移動体通信端末（２）とキャリアアグリゲーションの試験を行なう移動端末試験装置（１）のパラメータ変更方法であって、
現在の前記キャリアアグリゲーションを構成する前記コンポーネントキャリアの設定を読み出すステップと、
ユーザに前記現在のキャリアアグリゲーションを構成するコンポーネントキャリアを組み替えさせるステップと、
該組み替えられた構成に基づいて、前記パラメータの予め設定された一部を前記コンポーネントキャリア間で交換するステップと、を備えたパラメータ変更方法。
【発明の詳細な説明】
【技術分野】
【０００１】
本発明は、移動体通信端末の試験を行なう移動端末試験装置に関する。
【背景技術】
【０００２】
携帯電話やデータ通信端末等の移動体通信端末を開発した場合、この開発した移動体通信端末が正常に通信を行なえるか否かを試験する必要がある。このため、実際の基地局の機能を擬似する擬似基地局として動作する試験装置に試験対象の移動体通信端末を接続し、試験装置と移動体通信端末との間で通信を行ない、この通信の内容を確認する試験を行なっている。
【０００３】
また、無線通信の規格を作成している３ＧＰＰ（3rd Generation Partnership Project）では、ＬＴＥ−Ａ（Long Term Evolution-Advanced）の規格のなかで、キャリアアグリゲーション（Carrier Aggregation）技術が導入されている。このキャリアアグリゲーションは、複数のＬＴＥキャリアを同時に用いて通信を行なうことで、伝送速度の向上を図るものである。
【０００４】
キャリアアグリゲーションにおいては、コンポーネントキャリア（以下、ＣＣともいう）と呼ばれるＬＴＥキャリアを複数用いて通信を行なう。キャリアアグリゲーションでは、移動体通信端末が基地局との接続を維持するために必要なＣＣである１つのプライマリコンポーネントキャリア（以下、ＰＣＣともいう）と、移動体通信端末と基地局との伝送速度を向上させるために使用されるＣＣである１つ以上のセカンダリコンポーネントキャリア（以下、ＳＣＣともいう）とにより通信が行なわれる。
【０００５】
特許文献１には、キャリアアグリゲーションの試験を行なうことができるようにした試験装置が記載されている。
【先行技術文献】
【特許文献】
【０００６】
【特許文献１】特開２０１４−２７６５６号公報
【発明の概要】
【発明が解決しようとする課題】
【０００７】
キャリアアグリゲーションの試験を実施する場合、擬似基地局毎にＰＣＣやＳＣＣの通信を行なうためのパラメータを設定し、ＰＣＣやＳＣＣを擬似させて試験を行なっていた。
【０００８】
しかしながら、擬似基地局へのＰＣＣやＳＣＣの割当や、キャリアアグリゲーションを行なう擬似基地局の組合せなどを変えて試験を行なう場合、同じパラメータを別の擬似基地局に設定しなければならず、試験実施に時間がかかっていた。
【０００９】
そこで、本発明は、キャリアアグリゲーションを行なう擬似基地局の変更や組み替えを容易にして、キャリアアグリゲーションの試験を効率的に行なうことができる移動端末試験装置を提供することを目的としている。
【課題を解決するための手段】
【００１０】
本発明の移動端末試験装置は、複数のコンポーネントキャリアそれぞれに設定されたパラメータに基づいてキャリアアグリゲーションを構成して移動体通信端末とキャリアアグリゲーションの試験を行なう移動端末試験装置であって、前記パラメータの予め設定された一部を前記複数のコンポーネントキャリア間で交換する制御部を備えるものである。
【００１１】
この構成により、既存のキャリアアグリゲーションのパラメータの設定はそのままに、一部のパラメータがコンポーネントキャリア間で交換される。このため、パラメータの設定をやり直す必要がなく、キャリアアグリゲーションの試験を効率的に行なうことができる。
【００１２】
また、本発明の移動端末試験装置において、ユーザからの操作入力を受け付ける操作部と、画像を表示する表示部と、を備え、前記制御部は、現在の前記キャリアアグリゲーションを構成する前記コンポーネントキャリアを識別する情報を前記表示部に表示させ、前記操作部の操作により前記コンポーネントキャリアを識別する情報を変更させることで前記コンポーネントキャリアを組み替えさせ、該組み替えられた構成に基づいて前記コンポーネントキャリアの前記予め設定された一部のパラメータを交換するものである。
【００１３】
この構成により、表示部に表示されたコンポーネントキャリアを識別する情報を組み替えることで、一部のパラメータがコンポーネントキャリア間で交換される。このため、容易にコンポーネントキャリアの組み替えを指定することができ、キャリアアグリゲーションの試験を効率的に行なうことができる。
【００１４】
また、本発明の移動端末試験装置において、前記予め設定された一部のパラメータとして、少なくともCell ID、周波数、周波数帯域幅を含むことが好ましい。
【００１５】
また、本発明のパラメータ変更方法は、複数のコンポーネントキャリアそれぞれに設定されたパラメータに基づいてキャリアアグリゲーションを構成して移動体通信端末とキャリアアグリゲーションの試験を行なう移動端末試験装置のパラメータ変更方法であって、現在の前記キャリアアグリゲーションを構成する前記コンポーネントキャリアの設定を読み出すステップと、ユーザに前記現在のキャリアアグリゲーションを構成するコンポーネントキャリアを組み替えさせるステップと、該組み替えられた構成に基づいて、前記パラメータの予め設定された一部を前記コンポーネントキャリア間で交換するステップと、を備えたものである。
【００１６】
この構成により、既存のキャリアアグリゲーションのパラメータの設定はそのままに、一部のパラメータがコンポーネントキャリア間で交換される。このため、パラメータの設定をやり直す必要がなく、キャリアアグリゲーションの試験を効率的に行なうことができる。
【発明の効果】
【００１７】
本発明は、キャリアアグリゲーションの試験を効率的に行なうことができる移動端末試験装置を提供することができる。
【図面の簡単な説明】
【００１８】
【図１】図１は、本発明の一実施形態に係る移動端末試験装置のブロック図である。
【図２】図２は、本発明の一実施形態に係る移動端末試験装置の既存のシナリオのキャリアアグリゲーションの設定内容の例を示す図である。
【図３】図３は、本発明の一実施形態に係る移動端末試験装置の既存のシナリオのキャリアアグリゲーションのCell状態の例を示す図である。
【図４】図４は、本発明の一実施形態に係る移動端末試験装置の既存のシナリオの擬似基地局を組み替えたキャリアアグリゲーションの設定内容の例を示す図である。
【図５】図５は、本発明の一実施形態に係る移動端末試験装置の既存のシナリオの擬似基地局を組み替えたキャリアアグリゲーションのCell状態の例を示す図である。
【図６】図６は、本発明の一実施形態に係る移動端末試験装置のシナリオ変換処理の手順を説明するフローチャートである。
【発明を実施するための形態】
【００１９】
以下、図面を参照して、本発明の実施形態に係る移動端末試験装置について詳細に説明する。
【００２０】
図１において、本発明の一実施形態に係る移動端末試験装置１は、擬似基地局として同軸ケーブル等を介して有線で移動体通信端末２と無線信号を送受信するようになっている。
【００２１】
移動端末試験装置１は、操作部１１と、表示部１２と、表示制御部１３と、制御部１４と、シナリオ生成部１５と、記憶部１６と、シナリオ処理部１７と、擬似基地局部１８とを含んで構成されている。
【００２２】
操作部１１は、キーボード、マウス、タッチパネル等の入力機器で構成され、操作入力されたシナリオの生成に必要な情報などを表示制御部１３に出力する。表示部１２は、液晶ディスプレイ等の画像表示機器で構成され、シナリオの生成に必要な情報を入力させる画像や試験中の状態を示す画像などを表示する。
【００２３】
表示制御部１３は、表示部１２に表示させる画像を生成して表示させるものであり、制御部１４の指示により画像の生成と表示の制御を行なうようになっている。また、表示制御部１３は、操作部１１に入力された情報に基づいて表示部１２の表示を変更させたり、操作部１１に入力された情報を制御部１４に送信したりする。
【００２４】
制御部１４は、操作部１１に入力された指示に従って、シナリオの作成画面を表示制御部１３により表示部１２に表示させてシナリオの生成に必要な情報を入力させたり、シナリオの作成画面で操作部１１に入力された情報をシナリオ生成部１５に送信してシナリオを生成させたりする。また、制御部１４は、操作部１１に入力された指示に従って、シナリオ処理部１７に指示を送信して記憶部１６に記憶されたシナリオに基づいて試験を実行させたり、シナリオ処理部１７から送信される擬似基地局部１８の状態や移動体通信端末２との通信の状態などの情報に基づいて表示制御部１３により表示部１２に試験中の状態などを表示させたりする。
【００２５】
シナリオ生成部１５は、制御部１４から送信されたシナリオ生成のための情報に基づいて、移動体通信端末２を試験するためのシナリオを生成する。このシナリオには、擬似基地局部１８の動作の設定や、移動体通信端末２との通信シーケンスが設定される。シナリオ生成部１５は、シナリオ生成のための情報に基づいて擬似基地局部１８から送信する送信情報を生成するシナリオ変換部１５０を備えている。
【００２６】
記憶部１６は、ハードディスク装置やフラッシュメモリで構成され、シナリオ生成部１５で生成された各種のシナリオを記憶する。
【００２７】
シナリオ処理部１７は、制御部１４からの指示により、記憶部１６に記憶されているシナリオを読み出して、そのシナリオに基づいて擬似基地局部１８に、報知情報を送信させたり、移動体通信端末２との間で通信シーケンスを実行させたりする。
【００２８】
擬似基地局部１８は、シナリオ処理部１７の指示により、移動体通信端末２との間で無線信号を送受信する。擬似基地局部１８は、複数の基地局を擬似できるようになっている。擬似基地局部１８は、複数の擬似基地局の信号を合成して移動体通信端末２に送信する。擬似基地局部１８は、移動体通信端末２から受信した信号を複数の擬似基地局に分けて処理する。
【００２９】
ここで、移動端末試験装置１は、移動体通信端末２と通信を行なうための通信モジュールが設けられた図示しないコンピュータ装置によって構成される。このコンピュータ装置は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを有する。
【００３０】
このコンピュータ装置のＲＯＭ及びハードディスク装置には、コンピュータ装置を移動端末試験装置１として機能させるためのプログラムが格納されている。すなわち、ＣＰＵがＲＡＭを作業領域としてＲＯＭに格納されたプログラムを実行することにより、当該コンピュータ装置は、移動端末試験装置１として機能する。
【００３１】
このように、本実施形態において、記憶部１６は、ＲＡＭ又はハードディスク装置によって構成され、表示制御部１３、制御部１４、シナリオ生成部１５及びシナリオ処理部１７は、ＣＰＵによって構成され、擬似基地局部１８は、通信モジュールによって構成される。
【００３２】
このような構成の移動端末試験装置１において、移動体通信端末２の試験を行なう場合、まず、ユーザにより試験に使用するシナリオの作成が行なわれる。制御部１４は、ユーザによる操作部１１の操作によりシナリオの作成の機能が選択されると、例えば、表示部１２にシナリオ作成画面を表示させて、擬似基地局部１８で擬似する基地局のＣＣのパラメータなどを設定させる。
【００３３】
ＣＣのパラメータとしては、Cell ID、周波数、周波数帯域幅、Downlink/Uplinkのリソース情報及びスケジュール情報、MCS(Modulation and Coding)、RB(Resource Block)数、RB Start、Number of RB、などがある。
【００３４】
「Cell ID」は、基地局を識別する識別情報である。「MCS」は、変調方式及び符号化方式に関する情報である。「RB Start」は、RBの割り当て開始位置を示す。「Number of RB」は、RB StartからのRBの割り当て数を示す。
【００３５】
制御部１４は、ユーザによる操作部１１の操作によりキャリアアグリゲーションの設定が選択されると、例えば、表示部１２にキャリアアグリゲーション設定画面を表示させて、キャリアアグリゲーションのＰＣＣやＳＣＣの構成などを設定させる。
【００３６】
制御部１４は、キャリアアグリゲーションの数として、例えば、ＰＣＣの数を入力させる。制御部１４は、キャリアアグリゲーションのＣＣの数を入力させる。制御部１４は、キャリアアグリゲーションの構成として、ＰＣＣやＳＣＣを擬似する擬似基地局を入力させる。ここで、擬似基地局は、上述のＣＣのパラメータを設定された擬似基地局であり、本実施形態においては、BTS1、BTS2、BTS3、などの識別名で識別される。
【００３７】
制御部１４は、このようにして設定されたＣＣのパラメータやキャリアアグリゲーションの構成に関する情報をシナリオ生成部１５に送信する。
【００３８】
シナリオ生成部１５は、受信した情報に基づいて擬似基地局部１８が基地局を擬似するためのシナリオを生成する。
【００３９】
シナリオ生成部１５は、このようにして生成された擬似基地局のシナリオを、例えば、ユーザに入力された識別情報により識別可能に記憶部１６に記憶させる。
【００４０】
このようにして記憶されたシナリオは、試験実施時に読み出されて使用される。制御部１４は、ユーザの操作部１１への操作によりシナリオの設定が選択されると、記憶部１６に記憶されている擬似基地局のシナリオの、例えば、識別情報を読み出し、一覧にして表示部１２に表示させ、設定するシナリオの選択を行なわせるメッセージを表示させる。
【００４１】
制御部１４は、ユーザの操作部１１への操作により擬似基地局のシナリオが選択されると、選択された擬似基地局のシナリオの識別情報をシナリオ処理部１７に送信する。
【００４２】
シナリオ処理部１７は、制御部１４から擬似基地局のシナリオの識別情報を受信すると、記憶部１６から識別情報に対応する擬似基地局のシナリオを読み出し、シナリオに従って擬似基地局部１８に設定を行ない、擬似基地局部１８に擬似基地局としての処理を行なわせる。
【００４３】
このようにシナリオが設定され、擬似基地局部１８による処理が開始されると、移動端末試験装置１と有線で接続された移動体通信端末２の電源を入れるなどして位置登録を行なわせ、移動体通信端末２を操作するなどして試験を実施する。なお、移動端末試験装置１と移動体通信端末２との間を無線で接続するようにしてもよい。
【００４４】
本実施形態の移動端末試験装置１は、既に作成され記憶部１６に記憶されたシナリオのキャリアアグリゲーションの擬似基地局の組み替えを容易にできるようになっている。
【００４５】
本実施形態の移動端末試験装置１は、既に作成されたシナリオのキャリアアグリゲーションの設定において、Downlink/Uplinkのリソース情報及びスケジュール情報、MCS、RB数などのキャリアアグリゲーションの設定はそのままに、Cell ID、周波数、周波数帯域幅などの基地局としての設定を交換することで擬似基地局の組み替えができるようになっている。
【００４６】
制御部１４は、ユーザの操作部１１への操作によりキャリアアグリゲーションの基地局組み替えが選択されると、記憶部１６に記憶されている擬似基地局のシナリオのうちキャリアアグリゲーションの設定がされているシナリオの、例えば、識別情報を読み出し、一覧にして表示部１２に表示させ、擬似基地局の組み替えを行なうシナリオの選択を行なわせるメッセージを表示させる。
【００４７】
制御部１４は、ユーザの操作部１１への操作により擬似基地局のシナリオが選択されると、そのシナリオの設定内容に従って、図２に示すような画面を表示部１２に表示させる。
【００４８】
図２において、プライマリセル数表示部１０１、セル数表示部１０２には、選択されたシナリオに設定されている値が表示され、変更はできないようになっている。
【００４９】
プライマリセル数表示部１０１には、キャリアアグリゲーションの数としてのＰＣＣとなる擬似基地局の数が表示される。
【００５０】
セル数表示部１０２には、キャリアアグリゲーションを行なうＣＣの数が表示される。セル数表示部１０２は、プライマリセル数表示部１０１に表示されたキャリアアグリゲーションの数分表示される。
【００５１】
図２において、プライマリセル表示設定部１０３、セカンダリセル表示設定部１０４には、選択されたシナリオに設定されている値が表示され、変更可能になっている。プライマリセル表示設定部１０３、セカンダリセル表示設定部１０４の内容を変更することで、擬似基地局の組み替えを行なうことができる。
【００５２】
プライマリセル表示設定部１０３、セカンダリセル表示設定部１０４は、セル数表示部１０２ごとに表示され、セカンダリセル表示設定部１０４は、セル数表示部１０２の値に対応した数だけ表示される。
【００５３】
プライマリセル表示設定部１０３には、ＰＣＣとして処理を行なう擬似基地局の識別名が表示される。セカンダリセル表示設定部１０４には、ＳＣＣとして処理を行なう擬似基地局の識別名が表示される。
【００５４】
図２の設定状態は、図３に示すように、BTS1をＰＣＣとしたキャリアアグリゲーションと、BTS4をＰＣＣとしたキャリアアグリゲーションと、が設定されている。BTS1をＰＣＣとしたキャリアアグリゲーションには、ＳＣＣとしてBTS2とBTS3が設定されている。BTS4をＰＣＣとしたキャリアアグリゲーションには、ＳＣＣとしてBTS5が設定されている。
【００５５】
このようなキャリアアグリゲーションの設定において、プライマリセル表示設定部１０３、セカンダリセル表示設定部１０４の擬似基地局の識別名を変更することで、キャリアアグリゲーションの設定はそのままに、擬似基地局の識別名と対応づけられている基地局としての設定を交換することができる。
【００５６】
制御部１４は、プライマリセル表示設定部１０３、セカンダリセル表示設定部１０４に、例えば、選択されたシナリオに設定されている擬似基地局の識別名の一覧をプルダウンリストとして表示して擬似基地局を選択させる。
【００５７】
制御部１４は、ユーザの操作部１１への操作により設定の終了が選択されると、プライマリセル表示設定部１０３、セカンダリセル表示設定部１０４に設定された擬似基地局の識別名に重複が無いかなどを確認し、設定内容に問題がなければ、設定内容の情報をシナリオ生成部１５に送信する。
【００５８】
シナリオ生成部１５は、シナリオ変換部１５０により、受信した情報に基づいて選択されたシナリオの変換を実行させ、シナリオを生成するための情報を変換させる。シナリオ生成部１５は、変換された情報に基づいて擬似基地局部１８が基地局を擬似するためのシナリオを生成する。
【００５９】
シナリオ生成部１５は、このようにして生成された擬似基地局のシナリオを、例えば、ユーザに入力された識別情報により識別可能に記憶部１６に記憶させる。
【００６０】
例えば、図４に示すように、3CellのキャリアアグリゲーションのＰＣＣをBTS4に、ＳＣＣをBTS1とBTS5に変更し、2CellのキャリアアグリゲーションのＰＣＣをBTS3に、ＳＣＣをBTS2に変更する。この場合、図５に示すように、キャリアアグリゲーションのDownlink/Uplinkのリソース情報及びスケジュール情報、MCS、RB数などの設定はそのままに、擬似基地局の識別名と対応づけられている基地局としてのCell ID、周波数、周波数帯域幅などの設定が変更された擬似基地局のシナリオが生成される。
【００６１】
従来では、キャリアアグリゲーションの設定はそのままで、基地局としての設定を入れ替える場合でも、すべての設定を新たにやり直さなければならなかった。本実施形態の移動端末試験装置１では、擬似基地局の識別名を変えるだけでシナリオを生成することができ、キャリアアグリゲーションの試験を効率的に行なうことができる。
【００６２】
以上のように構成された本実施形態に係る移動端末試験装置１によるシナリオ変換処理について、図６を参照して説明する。なお、以下に説明するシナリオ変換処理は、キャリアアグリゲーションの基地局組み替えが選択されると実行される。
【００６３】
ステップＳ１において、制御部１４は、記憶部１６に記憶されているキャリアアグリゲーションの設定がされている擬似基地局のシナリオから編集するシナリオの選択を行なわせる。
【００６４】
ステップＳ２において、制御部１４は、選択されたシナリオから設定されているキャリアアグリゲーションのグループの数Ｎを表示部１２に表示させる。これは、前述のプライマリセル数表示部１０１に表示される値に対応する。
【００６５】
ステップＳ３において、制御部１４は、Ｘに１を代入する。
ステップＳ４において、制御部１４は、選択されたシナリオからキャリアアグリゲーションのグループＸのServing Cell数を表示部１２に表示させる。これは、前述のセル数表示部１０２に表示される値に対応する。
【００６６】
ステップＳ５において、制御部１４は、Primary Cellの擬似基地局の識別名を入力させる。これは、前述のプライマリセル表示設定部１０３に表示される値に対応する。
【００６７】
ステップＳ６において、制御部１４は、Secondary Cellの擬似基地局の識別名を入力させる。これは、前述のセカンダリセル表示設定部１０４に表示される値に対応する。
【００６８】
ステップＳ７において、制御部１４は、Ｘに１を加算する。
ステップＳ８において、制御部１４は、ＸがＮより大きいか否かを判定する。ＸがＮより大きくないと判定した場合、制御部１４は、処理をステップＳ４に戻して、処理を繰り返す。
【００６９】
ステップＳ８においてＸがＮより大きいと判定した場合、制御部１４は、入力された情報をシナリオ生成部１５に送信してシナリオを生成させる。
【００７０】
ステップＳ９において、シナリオ生成部１５は、制御部１４から受信した情報に基づいて、シナリオ変換部１５０によりシナリオの変換を実行させる。
【００７１】
ステップＳ１０において、シナリオ生成部１５は、シナリオ変換部１５０で変換された情報に基づいてシナリオを生成し、記憶部１６に記憶させて、処理を終了する。
【００７２】
このように、上述の実施形態では、既に作成されたシナリオのキャリアアグリゲーションの設定において、Downlink/Uplinkのリソース情報及びスケジュール情報、MCS、RB数などのキャリアアグリゲーションの設定はそのままに、Cell ID、周波数、周波数帯域幅などの擬似基地局の識別名と対応づけられている基地局としての設定を交換する制御部１４を備える。
【００７３】
これにより、既存のシナリオのキャリアアグリゲーションの設定はそのままに、基地局として設定を交換することができ、キャリアアグリゲーションの試験を効率的に行なうことができる。
【００７４】
また、制御部１４は、ユーザの操作部１１への操作により既存の擬似基地局のシナリオの設定内容を表示部１２に表示させ、擬似基地局の識別名を変更することで、基地局としての設定を交換する。
【００７５】
これにより、表示部１２に表示される擬似基地局の識別名を変更することで基地局としての設定を交換することができ、キャリアアグリゲーションの試験を効率的に行なうことができる。
【００７６】
なお、本実施形態においては、Cell ID、周波数、周波数帯域幅などを基地局としてのパラメータとしたが、これに限定されるものではなく、他のパラメータを加えたり、パラメータを減らしたりしてもよい。
【００７７】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００７８】
１  移動端末試験装置
２  移動体通信端末
１１  操作部
１２  表示部
１４  制御部
１５  シナリオ生成部
１６  記憶部
１０１  プライマリセル数表示部
１０２  セル数表示部
１０３  プライマリセル表示設定部
１０４  セカンダリセル表示設定部
１５０  シナリオ変換部
【図１】
2019029741.tif 000003
【図２】
2019029741.tif 000004
【図３】
2019029741.tif 000005
【図４】
2019029741.tif 000006
【図５】
2019029741.tif 000007
【図６】
2019029741.tif 000008